(57)【特許請求の範囲】
【請求項１】
監視領域を撮影することにより得られる監視映像を表示する監視映像表示端末において、
上記監視映像を表示することを認める条件を満たすときだけ上記監視映像を表示し、上記条件を満たさないとき上記監視映像を表示せずに映像モザイク化処理が施された上記監視映像を表示するために、
上記監視映像の暗号化圧縮化監視映像、または映像モザイク化監視映像の圧縮化映像モザイク化監視映像を、映像データ記憶手段から取り込む監視映像取込手段と、
上記監視映像の表示の可否に参画する資格を有する関係者を予め登録されたＩＤにより認証する認証情報入力手段と、
上記関係者の少なくとも１人から映像表示の指示が入力される映像出力指示入力手段と、
上記監視映像の表示の指示があるとき認証された関係者の間で上記監視映像の表示に合意したことを、上記条件である合議の結果として確認する合議認証手段と、
上記監視映像取込手段により取り込まれた上記暗号化圧縮化監視映像に復号化処理を施して復号化圧縮化監視映像に変換するデータ復号化手段と、
上記復号化圧縮化監視映像または上記圧縮化映像モザイク化監視映像に復元化処理を施して監視映像または映像モザイク化監視映像に変換する映像復元化手段と、
復元化処理を施して得られた上記監視映像または上記映像モザイク化監視映像をモニタに表示する映像表示手段と、を備え、
上記監視映像取込手段は、上記合議の結果が上記条件を満たしたことを示す場合には、上記暗号化圧縮化監視映像を取り込み、上記合議の結果が上記条件を満たさないことを示す場合には、上記圧縮化映像モザイク化監視映像を取り込み、
上記映像表示手段は、上記合議の結果が上記条件を満たしたことを示す場合には、上記監視映像を表示し、上記合議の結果が上記条件を満たさないことを示す場合には、上記映像モザイク化監視映像を表示することを特徴とする監視映像表示端末。
【請求項２】
上記条件を満たすとは、上記監視映像の表示の可否に参画する資格を有する関係者のうち、上記監視映像の表示の指示があるとき認証された関係者の占める割合を上記合議の結果としたときに、上記合議の結果が予め定められた基準を超えることであることを特徴とする請求項１に記載の監視映像表示端末。
【請求項３】
請求項１に記載の監視映像表示端末の上記監視映像取込手段に対して暗号化圧縮化監視映像または圧縮化映像モザイク化監視映像を供給する監視映像レコーダにおいて、
監視領域を撮影した監視映像を入力する映像入力手段と、
上記監視映像に映像モザイク化処理を施して映像モザイク化監視映像に変換する映像モザイク化手段と、
上記監視映像および上記映像モザイク化監視映像を圧縮化監視映像および圧縮化映像モザイク化監視映像に変換する映像符号化手段と、
上記圧縮化監視映像に暗号化処理を施して暗号化圧縮化監視映像に変換するデータ暗号化手段と、
上記暗号化圧縮化監視映像および上記圧縮化映像モザイク化監視映像を記憶する映像データ記憶手段と、
を備えたことを特徴とする監視映像レコーダ。
【発明の詳細な説明】
【技術分野】
【０００１】
この発明は、監視する領域を撮影することにより得られる監視映像を表示する監視映像表示端末および監視映像を録画する監視映像レコーダに関するものである。
【背景技術】
【０００２】
従来の監視映像表示端末では、認証情報を照合して一致した場合のみ録画した監視映像を出力することで、当該監視映像を許可すべき人物にのみ表示許可していた（例えば、特許文献１参照）。
【０００３】
【特許文献１】特開２００４−２８４７５３号公報
【発明の開示】
【発明が解決しようとする課題】
【０００４】
ところで、マンションでは人物像が録画された人のプライバシーを保護するため、居住者で構成される管理組合の複数の組合員で閲覧の妥当性を合意したうえで、監視映像を閲覧する運用をしている。
しかし、認証情報を保持する管理組合員であれば合意がなくても閲覧できるという問題がある。
また、保守員が保守作業時に映像を閲覧することからプライバシーが覗かれるという問題がある。
【０００５】
この発明の目的は、監視映像に録画される人物像が特定されることによるプライバシーの侵害をなくし且つ保守作業等の用に供する監視映像表示端末および監視映像レコーダを提供することである。
【課題を解決するための手段】
【０００６】
この発明に係る監視映像表示端末は、監視領域を撮影することにより得られる監視映像を表示する監視映像表示端末において、上記監視映像を表示することを認める条件を満たすときだけ上記監視映像を表示し、上記条件を満たさないとき上記監視映像を表示せずに映像モザイク化処理が施された上記監視映像を表示するために、上記監視映像の暗号化圧縮化監視映像、または映像モザイク化監視映像の圧縮化映像モザイク化監視映像を、映像データ記憶手段から取り込む監視映像取込手段と、上記監視映像の表示の可否に参画する資格を有する関係者を予め登録されたＩＤにより認証する認証情報入力手段と、上記関係者の少なくとも１人から映像表示の指示が入力される映像出力指示入力手段と、上記監視映像の表示の指示があるとき認証された関係者の間で上記監視映像の表示に合意したことを、上記条件である合議の結果として確認する合議認証手段と、上記監視映像取込手段により取り込まれた上記暗号化圧縮化監視映像に復号化処理を施して復号化圧縮化監視映像に変換するデータ復号化手段と、上記復号化圧縮化監視映像または上記圧縮化映像モザイク化監視映像に復元化処理を施して監視映像または映像モザイク化監視映像に変換する映像復元化手段と、復元化処理を施して得られた上記監視映像または上記映像モザイク化監視映像をモニタに表示する映像表示手段と、を備え、上記監視映像取込手段は、上記合議の結果が上記条件を満たしたことを示す場合には、上記暗号化圧縮化監視映像を取り込み、上記合議の結果が上記条件を満たさないことを示す場合には、上記圧縮化映像モザイク化監視映像を取り込み、上記映像表示手段は、上記合議の結果が上記条件を満たしたことを示す場合には、上記監視映像を表示し、上記合議の結果が上記条件を満たさないことを示す場合には、上記映像モザイク化監視映像を表示する。
【発明の効果】
【０００７】
この発明に係る監視映像表示端末の効果は、監視映像の表示が複数の人に影響を及ぼす場合、複数の人の中での監視映像の表示を認める人の割合が予め定めた合議基準を満たしているときだけ監視映像を取り込んで表示することができるので、監視映像に撮影されて影響を受ける人を公平に扱うことができるとともにプライバシーを保護できることである。
【発明を実施するための最良の形態】
【０００８】
実施の形態１．
図１は、この発明の実施の形態１に係る監視映像録画表示装置の構成を示すブロック図である。
この発明の実施の形態１に係る監視映像録画表示装置１は、デジタルビデオカメラ２が監視領域を撮影した監視映像に、映像モザイク化、ＭＰＥＧ化および暗号化を施して暗号化圧縮化監視映像と圧縮化映像モザイク化監視映像を録画する監視映像レコーダ３と、監視映像を表示することに関する関係者での合議の度合いに基づいて監視映像レコーダ３に録画されている暗号化圧縮化監視映像または圧縮化映像モザイク化監視映像に復号化、復元化を施して得られた監視映像または映像モザイク化監視映像をモニタ５に表示する監視映像表示端末４と、を備える。
【０００９】
映像モザイク化とは、映像において表示させたくない部分をピクセル単位でぼかすために使用されるフィルタリング処理であり、より一般的にはピクセル化（ｐｉｘｅｌｉｚａｔｉｏｎ）のことを意味する。
【００１０】
この発明の実施の形態１に係る監視映像レコーダ３は、デジタルビデオカメラ２が監視領域を撮影した監視映像を入力する映像入力手段１１、監視映像に映像モザイク化処理を施して映像モザイク化監視映像に変換する映像モザイク化手段１２、監視映像および映像モザイク化監視映像にそれぞれ高効率符号化処理であるＭＰＥＧ化処理を施して圧縮化監視映像および圧縮化映像モザイク化監視映像に変換する映像符号化手段１３、圧縮化監視映像に暗号化処理を施して暗号化圧縮化監視映像に変換するデータ暗号化手段１４、および、暗号化圧縮化監視映像および圧縮化映像モザイク化監視映像を記憶する映像データ記憶手段１５を有する。
【００１１】
この発明の実施の形態１に係る監視映像表示端末４は、監視映像の表示を指示する映像出力指示入力手段１６、監視映像の表示の可否に参画する資格を有する関係者を認証する認証情報入力手段１７、監視映像の表示の指示があるとき認証された関係者の間で監視映像の表示に合意したことを確認する合議認証手段１８、監視映像レコーダ３から合議の結果に基づいた暗号化圧縮化監視映像または圧縮化映像モザイク化監視映像を取り込む監視映像取込手段１９、取り込まれた暗号化圧縮化監視映像に復号化処理を施して復号化圧縮化監視映像に変換するデータ復号化手段２０、復号化圧縮化監視映像または圧縮化映像モザイク化監視映像に復元化処理を施して監視映像または映像モザイク化監視映像に変換する映像復元化手段２１、および、復元化処理を施して得られた監視映像または映像モザイク化監視映像をモニタ５に表示する映像表示手段２２を有する。
【００１２】
認証情報としては「ＩＤ番号とパスワード」、「指紋などの生体情報」など個人を識別し得る情報であれば良い。そして、ＩＤ番号とパスワードとをキーボードから直接入力しても良いし、ＩＤ番号などが記憶されているＩＣカードを翳すことにより入力しても良い。
【００１３】
図２は、この発明の実施の形態１に係る監視映像録画表示装置１で監視映像を出力するときの手順を示すフローチャートである。
次に、監視映像レコーダ３に録画されている監視映像を出力する手順について説明する。
説明に用いる例は、あるマンションの監視カメラが撮影した監視映像を例えば事件があって過去に遡って確認するときとする。そして、このマンションには管理組合が組織され、１０名の理事が選任され、各理事には識別するＩＤ番号とパスワードとが割り当てられている。このＩＤ番号とパスワードとは、認証情報入力手段１７に予め登録されている。
また、合議認証手段１８には、予め合議基準として３／４が決められている。
また、監視映像レコーダ３には、暗号化圧縮化監視映像と圧縮化映像モザイク化監視映像とが録画されている。
【００１４】
監視映像の表示を要する事態が発生したとき、管理組合の理事は集まって監視映像の表示を協議する。
そして、ステップＳ１０１で、監視映像の表示を認める理事は認証情報入力手段１７から自身のＩＤ番号とパスワードとを入力する。認証情報入力手段１７は、入力されたＩＤ番号とパスワードとにより監視映像の表示を認める理事を認証し、認証した理事の情報を合議認証手段１８に送付する。
ステップＳ１０２で、理事のなかの代表者が映像出力指示入力手段１６を操作して映像出力を指示し、映像出力指示入力手段１６は合議認証手段１８に合議度合いの判断を依頼する。
ステップＳ１０３で、認証情報入力手段１７から受け取った理事の情報から合議度合いを求める。合議度合いは全体の理事の中監視映像の表示を認める理事の割合である。例えば、８名の理事が監視映像の表示を認めた場合は合議度合いは８／１０＝０．８となる。また、５名の理事が監視映像の表示を認めた場合は合議度合いは５／１０＝０．５となる。
ステップＳ１０４で、求めた合議度合いが合議基準以上か否かを判断し、求めた合議度合いが合議基準以上のときステップＳ１０５に進み、求めた合議度合いが合議基準未満のときステップＳ１１０に進む。
【００１５】
ステップＳ１０５で、監視映像レコーダ３から暗号化圧縮化監視映像を取り込む。
ステップＳ１０６で、監視映像レコーダ３から復号鍵を取り込む。
ステップＳ１０７で、復号鍵を用いて暗号化圧縮化監視映像に復号化処理を施して圧縮化監視映像に変換する。
ステップＳ１０８で、圧縮化監視映像に復元化処理を施して監視映像に変換する。
ステップＳ１０９で、監視映像をモニタ５に表示する。
ステップＳ１１０で、監視映像レコーダ３から圧縮化映像モザイク化監視映像を取り込む。
ステップＳ１１１で、圧縮化映像モザイク化監視映像に復元化処理を施して映像モザイク化監視映像に変換する。
ステップＳ１１２で、映像モザイク化監視映像をモニタ５に表示する。
【００１６】
この発明の実施の形態１に係る監視映像表示端末４は、監視映像の表示が複数の人に影響を及ぼす場合、複数の人の中での監視映像の表示を認める人の割合が予め定めた合議基準を満たしているときだけ監視映像を取り込んで表示することができるので、監視映像に撮影されて影響を受ける人を公平に扱うことができるとともにプライバシーを保護できる。
【００１７】
また、監視映像の表示が複数の人に影響を及ぼす場合、複数の人の中で監視映像の表示を認める人の割合が予め定めた合議基準を満たしていなくても映像モザイク化された監視映像を取り込んで表示することができるので、エレベータの保守員が保守作業時にカメラの向きや録画動作確認などを個人のプライバシーに不要にアクセスすることなく実施でき、管理組合の立ち会いを不要にすることができる。
また、暗号化処理を施した監視映像を録画してあるので、監視映像を不正規な人に見られることを防げる。
【００１８】
実施の形態２．
図３は、この発明の実施の形態２に係る監視映像録画表示装置の構成を示すブロック図である。
この発明の実施の形態２に係る監視映像録画表示装置１Ｂは、デジタルビデオカメラ２が監視領域を撮影した監視映像にＭＰＥＧ化処理および暗号化処理を施して録画する監視映像レコーダ３Ｂと、監視映像レコーダ３Ｂに記憶されている暗号化圧縮化監視映像に復号化処理および復元化処理を施して監視映像に戻すとともに監視映像の表示の合議の度合いに基づいて監視映像または監視映像に映像モザイク化処理を施して映像モザイク化監視映像としてモニタ５表示する監視映像表示端末４Ｂと、を備える。
【００１９】
この発明の実施の形態２に係る監視映像レコーダ３Ｂは、デジタルビデオカメラ２が監視領域を撮影した監視映像を取り込む映像入力手段１１、監視映像に高効率符号化であるＭＰＥＧ化処理を施して圧縮化監視映像に変換する映像符号化手段１３Ｂ、圧縮化監視映像に暗号化処理を施して暗号化圧縮化監視映像に変換するデータ暗号化手段１４、および、暗号化圧縮化監視映像を記憶する映像データ記憶手段１５Ｂを有する。
【００２０】
この発明の実施の形態２に係る監視映像表示端末４Ｂは、監視映像の表示を指示する映像出力指示入力手段１６、監視映像の表示の可否に参画する資格を有する関係者が入力する自身を証明する認証情報に基づいて関係者を認証する認証情報入力手段１７、監視映像の表示の指示があるとき基準以上の関係者が監視映像の表示に合意したことを確認する合議認証手段１８、監視映像レコーダ３Ｂから暗号化圧縮化監視映像を取り込む監視映像取込手段１９Ｂ、取り込まれた暗号化圧縮化監視映像に復号化処理を施して復号化圧縮化監視映像に変換するデータ復号化手段２０、復号化圧縮化監視映像に復元化処理を施して監視映像に変換する映像復元化手段２１Ｂ、監視映像に映像モザイク化処理を施して映像モザイク化監視映像に変換する映像モザイク化手段１２Ｂ、復元化して得られた監視映像または映像モザイク化して得られた映像モザイク化監視映像をモニタ５に表示する映像表示手段２２を有する。
【００２１】
図４は、この発明の実施の形態２に係る監視映像装置で監視映像を出力するときの手順を示すフローチャートである。
次に、監視映像レコーダ３Ｂに録画されている監視映像を出力する手順について説明する。
説明に用いる例は、あるマンションの監視カメラが撮影した監視映像を例えば事件があって過去に遡って確認するときとする。そして、このマンションには管理組合が組織され、１０名の理事が選任され、各理事には識別するＩＤ番号とパスワードとが割り当てられている。このＩＤ番号とパスワードとは、認証情報入力手段１７に予め登録されている。
また、合議認証手段１８には、予め合議基準として３／４が決められている。
また、監視映像レコーダ３Ｂには、暗号化圧縮化監視映像が録画されている。
【００２２】
監視映像の表示を要する事態が発生したとき、管理組合の理事は集まって監視映像の表示を協議する。
そして、ステップＳ２０１で、監視映像の表示を認める理事は認証情報入力手段１７から自身のＩＤ番号とパスワードとを入力する。認証情報入力手段１７は、入力されたＩＤ番号とパスワードとにより監視映像の表示を認める理事を認証し、認証した理事の情報を合議認証手段１８に送付する。
ステップＳ２０２で、理事のなかの代表者が映像出力指示入力手段１６を操作して映像表示を指示し、映像出力指示入力手段１６は合議認証手段１８に合議度合いの判断を依頼する。
ステップＳ２０３で、認証情報入力手段１７から受け取った理事の情報から合議度合いを求める。
ステップＳ２０４で、求めた合議度合いが合議基準以上か否かを判断し、求めた合議度合いが合議基準以上のときステップＳ２０５に進み、求めた合議度合いが合議基準未満のときステップＳ２１０に進む。
【００２３】
ステップＳ２０５で、監視映像レコーダ３Ｂから暗号化圧縮化監視映像を取り込む。
ステップＳ２０６で、監視映像レコーダ３Ｂから復号鍵を取り込む。
ステップＳ２０７で、復号鍵を用いて暗号化圧縮化監視映像に復号化処理を施して圧縮化監視映像に変換する。
ステップＳ２０８で、圧縮化監視映像に復元化処理を施して監視映像に変換する。
ステップＳ２０９で、復元化した監視映像をモニタ５に表示する。
ステップＳ２１０で、監視映像レコーダ３Ｂから暗号化圧縮化監視映像を取り込む。
ステップＳ２１１で、監視映像レコーダ３Ｂから復号鍵を取り込む。
ステップＳ２１２で、復号鍵を用いて暗号化圧縮化監視映像に復号化処理を施して圧縮化監視映像に変換する。
ステップＳ２１３で、圧縮化監視映像に復元化処理を施して監視映像に変換する。
ステップＳ２１４で、監視映像に映像モザイク化処理を施して映像モザイク化監視映像に変換する。
ステップＳ２１５で、映像モザイク化監視映像をモニタ５に表示する。
【００２４】
この発明の実施の形態２に係る監視映像表示端末４Ｂは、監視映像の表示が複数の人に影響を及ぼす場合、複数の人の中で予め定まった合議基準を満たしているときだけ監視映像を取り込んで出力することができるので、影響を受ける人を公平に扱うことができるとともにプライバシーを保護できる。
また、監視映像の表示が複数の人に影響を及ぼす場合、複数の人の中で予め定まった合議基準を満たしていなくても映像モザイク化された監視映像を取り込んで出力することができるので、エレベータの保守員が保守作業時にカメラの向きや録画動作確認などを個人のプライバシーに不要にアクセスすることなく実施でき、管理組合の立ち会いを不要にすることができる。
【００２５】
また、この発明の実施の形態２に係る監視映像録画表示装置１Ｂ全体として考えれば、映像モザイク化監視映像を出力するときだけ映像モザイク化処理を施すので、映像モザイク化処理の処理負荷が少なくても良い。
また、この発明の実施の形態２に係る監視映像レコーダ３Ｂは、監視映像だけを記憶すれば良いので、記憶容量が少なくできる。
【００２６】
実施の形態３．
図５は、この発明の実施の形態３に係る監視映像表示端末の構成を示すブロック図である。
上述の実施の形態１に係る監視映像録画表示装置１では、監視映像レコーダ３と監視映像表示端末４とを一体化しているが、監視映像レコーダから一旦リムーバブルＨＤＤやＵＳＢメモリなどの可搬型の外部記憶媒体６に複写し、監視映像を複写した外部記憶媒体６を例えば管理事務所などに設置した監視映像表示端末４Ｃで出力しても良い。
この発明の実施の形態３に係る監視映像表示端末４Ｃは、この発明の実施の形態１に係る監視映像表示端末４と、外部記憶媒体６から暗号化圧縮化監視映像および圧縮化映像モザイク化監視映像を取り込むことが異なり、それ以外は同様であるので、同様な部分には同じ符号を付記し説明は省略する。
【００２７】
監視映像取込手段１９Ｃは、監視映像レコーダからではなく、外部記憶媒体６から合議の結果に基づき暗号化圧縮化監視映像または圧縮化映像モザイク化監視映像を取り込む。
そして、監視映像取込手段１９Ｃが取り込んだ暗号化圧縮化監視映像または圧縮化映像モザイク化監視映像に対するその後の処理は実施の形態１に係る監視映像表示端末４で実行される処理と同様である。
【００２８】
この発明の実施の形態３に係る監視映像表示端末４Ｃは、例えば管理事務所など監視映像の表示を見やすいところで確認できるし、複数の監視映像レコーダに対して１台用意すれば良いので設備費も安くできる。
【００２９】
なお、可搬型の外部記憶媒体６に一旦複写して運ぶのではなく、監視映像レコーダにネットワークを介して監視映像表示端末４Ｃを接続しても良い。
【００３０】
実施の形態４．
図６は、この発明の実施の形態４に係る監視映像表示端末の構成を示すブロック図である。
上述の実施の形態２に係る監視映像録画表示装置１Ｂでは、監視映像レコーダ３Ｂと監視映像表示端末４Ｂとを一体化しているが、監視映像レコーダから一旦可搬型の外部記憶媒体６に複写し、監視映像を複写した外部記憶媒体６を例えば管理事務所などに設置した監視映像表示端末４Ｄで出力しても良い。
この発明の実施の形態４に係る監視映像表示端末４Ｄは、この発明の実施の形態２に係る監視映像表示端末４Ｂと、外部記憶媒体６から暗号化圧縮化監視映像を取り込むことが異なり、それ以外は同様であるので、同様な部分には同じ符号を付記し説明は省略する。
【００３１】
監視映像取込手段１９Ｄは、監視映像レコーダからではなく、外部記憶媒体６から暗号化圧縮化監視映像を取り込む。
そして、監視映像取込手段１９Ｄが取り込んだ暗号化圧縮化監視映像に対するその後の処理は実施の形態２に係る監視映像表示端末４Ｂで実行される処理と同様である。
【００３２】
この発明の実施の形態４に係る監視映像表示端末４Ｄは、例えば管理事務所など監視映像の表示を見やすいところで確認できるし、複数の監視映像レコーダに対して１台用意すれば良いので設備費も安くできる。
【００３３】
なお、合議の度合いを関係者全体に占める監視映像の表示を認めた関係者の人数比を用いているが、重要な関係者が監視映像の表示を認めるとともに人数比が所定の合議基準を満足するときだけ監視映像を表示し、それ以外の場合は映像モザイク化監視映像を表示しても良い。
【００３４】
また、合議度合いが合議基準を満たすとき、合議度合いが合議基準を満たさないとき、合議度合いに拘わらず特定の条件を満たすとき、それぞれ監視映像を表示する、監視映像を表示しない、映像モザイク化監視映像を表示するようにしても良い。
【図面の簡単な説明】
【００３５】
【図１】この発明の実施の形態１に係る監視映像録画表示装置の構成を示すブロック図である。
【図２】この発明の実施の形態１に係る監視映像録画表示装置で監視映像を出力するときの手順を示すフローチャートである。
【図３】この発明の実施の形態２に係る監視映像録画表示装置の構成を示すブロック図である。
【図４】この発明の実施の形態２に係る監視映像録画表示装置で監視映像を出力するときの手順を示すフローチャートである。
【図５】は、この発明の実施の形態３に係る監視映像表示端末の構成を示すブロック図である。
【図６】この発明の実施の形態４に係る監視映像表示端末の構成を示すブロック図である。
【符号の説明】
【００３６】
１、１Ｂ  監視映像録画表示装置、２  デジタルビデオカメラ、３、３Ｂ  監視映像レコーダ、４、４Ｂ、４Ｃ、４Ｄ  監視映像表示端末、５  モニタ、６  外部記憶媒体、１１  映像入力手段、１２、１２Ｂ  映像モザイク化手段、１３、１３Ｂ  映像符号化手段、１４  データ暗号化手段、１５、１５Ｂ  映像データ記憶手段、１６  映像出力指示入力手段、１７  認証情報入力手段、１８  合議認証手段、１９、１９Ｂ、１９Ｃ、１９Ｄ  監視映像取込手段、２０  データ復号化手段、２１、２１Ｂ  映像復元化手段、２２  映像表示手段。
【図１】
0005173575.tif 000002
【図２】
0005173575.tif 000003
【図３】
0005173575.tif 000004
【図４】
0005173575.tif 000005
【図５】
0005173575.tif 000006
【図６】
0005173575.tif 000007